【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
ワイヤレスドッキングホストとのドッキングセッションに関連する認証および関連付け情報に従って、前記ワイヤレスドッキングホストを介して利用可能な１つまたは複数の周辺機能を選択するための要求を前記ワイヤレスドッキングホストに送ることと、
前記ワイヤレスドッキングホストとの１つまたは複数のペイロード接続を確立するための要求を前記ワイヤレスドッキングホストに送ることと、ここにおいて、前記１つまたは複数のペイロード接続は、前記ワイヤレスドッキングホストを介して、前記選択された１つまたは複数の周辺機能に関するデータを通信するように構成される
持続性ワイヤレスドッキング環境を作成することと、
前記ドッキングセッションの後で持続する、前記持続性ワイヤレスドッキング環境に関連する前記１つまたは複数の周辺機能に関連する情報を記憶することと
を備え、前記持続性ワイヤレスドッキング環境を作成することが、前記持続性ワイヤレスドッキング環境を作成するための要求を前記ワイヤレスドッキングホストに送ることを備える、方法。
【請求項２】
前記１つまたは複数の周辺機能を選択するための前記要求を送ること、および前記１つまたは複数のペイロード接続を確立するための前記要求を送ることのうちの少なくとも１つが、ＳＯＡＰペイロードを介して、またはバイナリプロトコルフォーマットメッセージを介して要求を送ることを備える、請求項１に記載の方法。
【請求項３】
前記持続性ワイヤレスドッキング環境に関連する前記１つまたは複数の周辺機能に関連する前記情報を記憶することが、前記選択された１つまたは複数の周辺機能に関する構成データを記憶することを備える、請求項１に記載の方法。
【請求項４】
前記ワイヤレスドッキングホストとの後続のドッキングセッションを確立するための要求を前記ワイヤレスドッキングホストに送ることと、
前記ワイヤレスドッキングホストを介して利用可能な１つまたは複数の周辺機能を選択するための新しい要求を、前記持続性ワイヤレスドッキング環境に関連して記憶された前記１つまたは複数の周辺機能に関連する前記情報に基づいて、前記ワイヤレスドッキングホストに送ること、または、
前記ワイヤレスドッキングホストとの後続のドッキングセッションを確立するための要求を前記ワイヤレスドッキングホストに送ることと、
前記持続性ワイヤレスドッキング環境にアクセスするための要求を前記ワイヤレスドッキングホストに送ること
をさらに備える、請求項１に記載の方法。
【請求項５】
前記認証および関連付け情報が前記ワイヤレスドッキングホストとの認証および関連付け情報の第１の交換を実行することによって受信され、前記方法が、
前記ワイヤレスドッキングホストとの認証および関連付け情報の前記第１の交換を実行することに先立って、前記ワイヤレスドッキングホストを介して利用可能な周辺機能に関する情報について前記ワイヤレスドッキングホストに問い合わせることと、
前記第１のワイヤレスドッキングセッションの後で、前記ワイヤレスドッキングホストを介して利用可能な周辺機能に関する情報について前記ワイヤレスドッキングホストに問い合わせずに、前記持続性ワイヤレスドッキング環境内に記憶された利用可能な周辺機能情報に基づいて、前記ワイヤレスドッキングホストとの認証および関連付け情報の第２の交換を実行すること、または、
前記１つまたは複数の周辺機能を選択するための前記要求を前記送ることに先立って、前記ワイヤレスドッキングホストとの前記ドッキングセッションに関連する前記認証および関連付け情報に従って、前記ワイヤレスドッキングホストを介して利用可能な前記周辺機能に関する情報に対する要求を前記ワイヤレスドッキングホストに送ること
をさらに備え、前記１つまたは複数の周辺機能を選択するための前記要求が、前記ワイヤレスドッキングホストを介して利用可能な前記周辺機能に関する情報に対する前記要求に対する応答に基づく、請求項１に記載の方法。
【請求項６】
前記１つまたは複数のペイロード接続を確立するための前記要求に対する応答を受信することと、
前記選択された１つまたは複数の周辺機能に関する前記データを通信するための前記１つまたは複数のペイロード接続に関する認証および関連付け情報の新しいセットを前記ワイヤレスドッキングホストと交換することと
をさらに備え、好ましくは、
前記１つまたは複数のペイロード接続に関する認証および関連付け情報の前記新しいセットを交換することが、
認証および関連付け情報の前記新しいセットをレイヤ２通信において、ＩＰトランスポート層通信において、またはアプリケーション層通信において、交換することをさらに備える、請求項１に記載の方法。
【請求項７】
前記ワイヤレスドッキングホストを介して利用可能な前記１つまたは複数の周辺機能を選択するための前記要求を前記ワイヤレスドッキングホストに送ることに先立って、前記ワイヤレスドッキングホストとの前記ドッキングセッションを確立する準備を整えることをさらに備え、ここにおいて、前記ドッキングセッションを確立する準備を整えることが、
前記ワイヤレスドッキングホストを介して利用可能な周辺機能に関する情報について前記ワイヤレスドッキングホストに問い合わせることと、
前記認証および関連付け情報を前記ワイヤレスドッキングホストと交換することと、
前記ワイヤレスドッキングホストとのパケットベースの通信接続をセットアップするための要求を送ることと、
前記ワイヤレスドッキングホストとの前記パケットベースの通信接続を介して前記ドッキングセッションをセットアップするための要求を送ることとを備え、好ましくは、
前記ワイヤレスドッキングホストに問い合わせること、ならびに前記認証および関連付け情報を前記ワイヤレスドッキングホストと交換することが、レイヤ２通信において実行され、前記パケットベースの通信接続をセットアップするための前記要求を送ること、および前記パケットベースの通信接続を介して前記ドッキングセッションをセットアップするための前記要求を送ることが、トランスポート層通信において実行され、好ましくは、
前記トランスポート層通信が伝送制御プロトコル／インターネットプロトコル（ＴＣＰ／ＩＰ）仕様による通信を備える、請求項１に記載の方法。
【請求項８】
前記１つまたは複数の周辺機能を選択するための前記要求を前記ワイヤレスドッキングホストに送ることが、前記１つまたは複数の周辺機能、前記１つまたは複数の周辺機能に関する１つまたは複数のプロトコル、および前記１つまたは複数の周辺機能に関連するペイロードコンテンツに関する１つまたは複数のプロトコルのよりも多いうちの１つに関する情報を指定することを備える、請求項１に記載の方法。
【請求項９】
方法であって、
周辺機能選択応答をワイヤレスデバイスに送ることによって、ドッキングセッションに関連する認証および関連付け情報に従って、１つまたは複数の選択された周辺機能を示す、前記ワイヤレスデバイスからの周辺機能選択要求に応答することと、前記周辺機能選択応答は、前記１つまたは複数の選択された周辺機能に関連する情報を備える、
ペイロード接続応答を前記ワイヤレスデバイスに送ることによって、前記１つまたは複数の選択された周辺機能に関するデータを通信するように構成された１つまたは複数のペイロード接続を示す、前記ワイヤレスデバイスからのペイロード接続要求に応答することと、前記ペイロード接続応答は、前記１つまたは複数のペイロード接続を確立することに関連する情報を備える
を備え、前記方法はさらに、
持続性ワイヤレスドッキング環境を作成するための要求を受信することと、
持続性ワイヤレスドッキング環境を作成することと、
ドッキングセッションの後で持続する、前記持続性ワイヤレスドッキング環境に関連する前記１つまたは複数の選択された周辺機能に関連する情報を記憶することと、
持続性ドッキング応答を前記ワイヤレスデバイスに送ることと、前記持続性ドッキング応答は、前記持続性ワイヤレスドッキング環境に関連する情報を備える
を備える、方法。
【請求項１０】
前記周辺機能選択応答および前記ペイロード接続応答のうちの少なくとも１つを送ることが、ＳＯＡＰペイロードまたは汎用イベント通知アーキテクチャ（ＧＥＮＡ）通知イベントのうちの少なくとも１つを介して応答を送ること、またはバイナリプロトコルフォーマットメッセージを介して応答を送ることを備える、請求項９に記載の方法。
【請求項１１】
利用可能な周辺機能の新しい変更を検出することと、
前記利用可能な周辺機能の前記新しい変更の通知を前記ワイヤレスデバイスに送ることと
をさらに備える、請求項９に記載の方法。
【請求項１２】
後続のドッキングセッションを確立するための要求を前記ワイヤレスデバイスから受信することと、
前記後続のドッキングセッションを確立する際に、前記持続性ワイヤレスドッキング環境に関連する前記１つまたは複数の選択された周辺機能に関連する前記情報を適用することと
をさらに備える、請求項９に記載の方法。
【請求項１３】
ワイヤレスドッキングホストとのドッキングセッションに関連する認証および関連付け情報に従って、前記ワイヤレスドッキングホストを介して利用可能な１つまたは複数の周辺機能を選択するための要求を前記ワイヤレスドッキングホストに送るための手段と、
前記ワイヤレスドッキングホストとの１つまたは複数のペイロード接続を確立するための要求を前記ワイヤレスドッキングホストに送るための手段と、ここにおいて、前記１つまたは複数のペイロード接続は、前記ワイヤレスドッキングホストを介して、前記選択された１つまたは複数の周辺機能に関するデータを通信するように構成される、
持続性ワイヤレスドッキング環境を作成するための手段と、
前記ドッキングセッションの後で持続する、前記持続性ワイヤレスドッキング環境に関連する前記１つまたは複数の周辺機能に関連する情報を記憶するための手段と
を備え、前記持続性ワイヤレスドッキング環境を作成するための前記手段が、前記持続性ワイヤレスドッキング環境を作成するための要求を前記ワイヤレスドッキングホストに送るための手段を備える、装置。
【請求項１４】
周辺機能選択応答をワイヤレスデバイスに送ることによって、ドッキングセッションに関連する認証および関連付け情報に従って、１つまたは複数の選択された周辺機能を示す、前記ワイヤレスデバイスからの周辺機能選択要求に応答するための手段と、前記周辺機能選択応答は、前記１つまたは複数の選択された周辺機能に関連する情報を備える、
ペイロード接続応答を前記ワイヤレスデバイスに送ることによって、前記１つまたは複数の選択された周辺機能に関するデータを通信するように構成された１つまたは複数のペイロード接続を示す、前記ワイヤレスデバイスからのペイロード接続要求に応答するための手段と、前記ペイロード接続応答は、前記１つまたは複数のペイロード接続を確立することに関連する情報を備える、
持続性ワイヤレスドッキング環境を作成するための要求を受信するための手段と、
持続性ワイヤレスドッキング環境を作成するための手段と、
前記ドッキングセッションの後で持続する、前記持続性ワイヤレスドッキング環境に関連する前記１つまたは複数の選択された周辺機能に関連する情報を記憶するための手段と、
持続性ドッキング応答を前記ワイヤレスデバイスに送るための手段と、前記持続性ドッキング応答が前記持続性ワイヤレスドッキング環境に関連する情報を備える、
を備える装置。
【請求項１５】
実行されると、請求項１乃至１２のいずれか１項に記載のステップを実行するように１つまたは複数のプロセッサを構成する命令を記憶したコンピュータ可読記憶媒体。
【手続補正２】
【補正対象書類名】明細書
【補正対象項目名】０１３３
【補正方法】変更
【補正の内容】
【０１３３】
[0155]様々な例が説明された。これらおよび他の例は、以下の特許請求の範囲内である。
以下に、出願当初の特許請求の範囲に記載された発明を付記する。
［Ｃ１］
ワイヤレスドッキングホストとのドッキングセッションに関連する認証および関連付け情報に従って、前記ワイヤレスドッキングホストを介して利用可能な１つまたは複数の周辺機能を選択するための要求を前記ワイヤレスドッキングホストに送ることと、
前記ワイヤレスドッキングホストとの１つまたは複数のペイロード接続を確立するための要求を前記ワイヤレスドッキングホストに送ることと、ここにおいて、前記１つまたは複数のペイロード接続は、前記ワイヤレスドッキングホストを介して、前記選択された１つまたは複数の周辺機能に関するデータを通信するように構成される
を備える方法。
［Ｃ２］
前記１つまたは複数の周辺機能を選択するための前記要求を送ること、および前記１つまたは複数のペイロード接続を確立するための前記要求を送ることのうちの少なくとも１つが、ＳＯＡＰペイロードを介して要求を送ることを備える、Ｃ１に記載の方法。
［Ｃ３］
前記１つまたは複数の周辺機能を選択するための前記要求を送ること、および前記１つまたは複数のペイロード接続を確立するための前記要求を送ることのうちの少なくとも１つが、バイナリプロトコルフォーマットメッセージを介して要求を送ることを備える、Ｃ１に記載の方法。
［Ｃ４］
持続性ワイヤレスドッキング環境を作成することと、
前記ドッキングセッションの後で持続する、前記持続性ワイヤレスドッキング環境に関連する前記１つまたは複数の周辺機能に関連する情報を記憶することと
をさらに備える、Ｃ１に記載の方法。
［Ｃ５］
前記持続性ワイヤレスドッキング環境を作成することが、ワイヤレスドッキーデバイスにおいて前記持続性ワイヤレスドッキング環境を記憶することを含む、Ｃ４に記載の方法。
［Ｃ６］
前記持続性ワイヤレスドッキング環境を作成することが、前記持続性ワイヤレスドッキング環境を作成するための要求を前記ワイヤレスドッキングホストに送ることを含む、Ｃ４に記載の方法。
［Ｃ７］
前記持続性ワイヤレスドッキング環境に関連する前記１つまたは複数の周辺機能に関連する前記情報を記憶することが、前記選択された１つまたは複数の周辺機能に関する構成データを記憶することを備える、Ｃ４に記載の方法。
［Ｃ８］
前記ワイヤレスドッキングホストとの後続のドッキングセッションを確立するための要求を前記ワイヤレスドッキングホストに送ることと、
前記ワイヤレスドッキングホストを介して利用可能な１つまたは複数の周辺機能を選択するための新しい要求を、前記持続性ワイヤレスドッキング環境に関連して記憶された前記１つまたは複数の周辺機能に関連する前記情報に基づいて、前記ワイヤレスドッキングホストに送ることと
をさらに備える、Ｃ４に記載の方法。
［Ｃ９］
前記ワイヤレスドッキングホストとの後続のドッキングセッションを確立するための要求を前記ワイヤレスドッキングホストに送ることと、
前記持続性ワイヤレスドッキング環境にアクセスするための要求を前記ワイヤレスドッキングホストに送ることと
をさらに備える、Ｃ４に記載の方法。
［Ｃ１０］
前記認証および関連付け情報が前記ワイヤレスドッキングホストとの認証および関連付け情報の第１の交換を実行することによって受信され、前記方法が、
前記ワイヤレスドッキングホストとの認証および関連付け情報の前記第１の交換を実行することに先立って、前記ワイヤレスドッキングホストを介して利用可能な周辺機能に関する情報について前記ワイヤレスドッキングホストに問い合わせることと、
前記第１のワイヤレスドッキングセッションの後で、前記ワイヤレスドッキングホストを介して利用可能な周辺機能に関する情報について前記ワイヤレスドッキングホストに問い合わせずに、前記持続性ワイヤレスドッキング環境内に記憶された利用可能な周辺機能情報に基づいて、前記ワイヤレスドッキングホストとの認証および関連付け情報の第２の交換を実行することとをさらに備える、Ｃ１に記載の方法。
［Ｃ１１］
前記１つまたは複数の周辺機能を選択するための前記要求を前記送ることに先立って、前記ワイヤレスドッキングホストとの前記ドッキングセッションに関連する前記認証および関連付け情報に従って、前記ワイヤレスドッキングホストを介して利用可能な前記周辺機能に関する情報に対する要求を前記ワイヤレスドッキングホストに送ることをさらに備え、
前記１つまたは複数の周辺機能を選択するための前記要求が、前記ワイヤレスドッキングホストを介して利用可能な前記周辺機能に関する情報に対する前記要求に対する応答に基づく、Ｃ１に記載の方法。
［Ｃ１２］
前記１つまたは複数のペイロード接続を確立するための前記要求に対する応答を受信することと、
前記選択された１つまたは複数の周辺機能に関する前記データを通信するための前記１つまたは複数のペイロード接続に関する認証および関連付け情報の新しいセットを前記ワイヤレスドッキングホストと交換することと
をさらに備える、Ｃ１に記載の方法。
［Ｃ１３］
前記１つまたは複数のペイロード接続に関する認証および関連付け情報の前記新しいセットを交換することが、
認証および関連付け情報の前記新しいセットをレイヤ２通信において交換することをさらに備える、Ｃ１２に記載の方法。
［Ｃ１４］
前記１つまたは複数のペイロード接続に関する認証および関連付け情報の前記新しいセットを交換することが、
認証および関連付け情報の前記新しいセットをＩＰトランスポート層通信において交換することをさらに備える、Ｃ１２に記載の方法。
［Ｃ１５］
前記１つまたは複数のペイロード接続に関する認証および関連付け情報の前記新しいセットを交換することが、
認証および関連付け情報の前記新しいセットをアプリケーション層通信において交換することをさらに備える、Ｃ１２に記載の方法。
［Ｃ１６］
前記ワイヤレスドッキングホストを介して利用可能な前記１つまたは複数の周辺機能を選択するための前記要求を前記ワイヤレスドッキングホストに送ることに先立って、前記ワイヤレスドッキングホストとの前記ドッキングセッションを確立する準備を整えることをさらに備え、ここにおいて、前記ドッキングセッションを確立する準備を整えることが、
前記ワイヤレスドッキングホストを介して利用可能な周辺機能に関する情報について前記ワイヤレスドッキングホストに問い合わせることと、
前記認証および関連付け情報を前記ワイヤレスドッキングホストと交換することと、
前記ワイヤレスドッキングホストとのパケットベースの通信接続をセットアップするための要求を送ることと、
前記ワイヤレスドッキングホストとの前記パケットベースの通信接続を介して前記ドッキングセッションをセットアップするための要求を送ることとを備える、Ｃ１に記載の方法。
［Ｃ１７］
前記ワイヤレスドッキングホストに問い合わせること、ならびに前記認証および関連付け情報を前記ワイヤレスドッキングホストと交換することが、レイヤ２通信において実行され、前記パケットベースの通信接続をセットアップするための前記要求を送ること、および前記パケットベースの通信接続を介して前記ドッキングセッションをセットアップするための前記要求を送ることが、トランスポート層通信において実行される、Ｃ１６に記載の方法。
［Ｃ１８］
前記トランスポート層通信が伝送制御プロトコル／インターネットプロトコル（ＴＣＰ／ＩＰ）仕様による通信を備える、Ｃ１７に記載の方法。
［Ｃ１９］
前記１つまたは複数の周辺機能を選択するための前記要求を前記ワイヤレスドッキングホストに送ることが、前記１つまたは複数の周辺機能、前記１つまたは複数の周辺機能に関する１つまたは複数のプロトコル、および前記１つまたは複数の周辺機能に関連するペイロードコンテンツに関する１つまたは複数のプロトコルのよりも多いうちの１つに関する情報を指定することを備える、Ｃ１に記載の方法。
［Ｃ２０］
周辺機能選択応答をワイヤレスデバイスに送ることによって、ドッキングセッションに関連する認証および関連付け情報に従って、１つまたは複数の選択された周辺機能を示す、前記ワイヤレスデバイスからの周辺機能選択要求に応答することと、前記周辺機能選択応答は、前記１つまたは複数の選択された周辺機能に関連する情報を備える、
ペイロード接続応答を前記ワイヤレスデバイスに送ることによって、前記１つまたは複数の選択された周辺機能に関するデータを通信するように構成された１つまたは複数のペイロード接続を示す、前記ワイヤレスデバイスからのペイロード接続要求に応答することと、前記ペイロード接続応答は、前記１つまたは複数のペイロード接続を確立することに関連する情報を備える
を備える方法。
［Ｃ２１］
前記周辺機能選択応答および前記ペイロード接続応答のうちの少なくとも１つを送ることが、ＳＯＡＰペイロードまたは汎用イベント通知アーキテクチャ（ＧＥＮＡ）通知イベントのうちの少なくとも１つを介して応答を送ることを備える、Ｃ２０に記載の方法。
［Ｃ２２］
前記周辺機能選択応答および前記ペイロード接続応答のうちの少なくとも１つを送ることが、バイナリプロトコルフォーマットメッセージを介して応答を送ることを備える、Ｃ２０に記載の方法。
［Ｃ２３］
利用可能な周辺機能の新しい変更を検出することと、
前記利用可能な周辺機能の前記新しい変更の通知を前記ワイヤレスデバイスに送ることと
をさらに備える、Ｃ２０に記載の方法。
［Ｃ２４］
持続性ワイヤレスドッキング環境を作成するための要求を受信することと、
持続性ワイヤレスドッキング環境を作成することと、
ドッキングセッションの後で持続する、前記持続性ワイヤレスドッキング環境に関連する前記１つまたは複数の選択された周辺機能に関連する情報を記憶することと、
持続性ドッキング応答を前記ワイヤレスデバイスに送ることと、前記持続性ドッキング応答は、前記持続性ワイヤレスドッキング環境に関連する情報を備える
をさらに備える、Ｃ２０に記載の方法。
［Ｃ２５］
後続のドッキングセッションを確立するための要求を前記ワイヤレスデバイスから受信することと、
前記後続のドッキングセッションを確立する際に、前記持続性ワイヤレスドッキング環境に関連する前記１つまたは複数の選択された周辺機能に関連する前記情報を適用することと
をさらに備える、Ｃ２４に記載の方法。
［Ｃ２６］
１つまたは複数のプロセッサを備えたデバイスであって、前記１つまたは複数のプロセッサが、
ワイヤレスドッキングホストとのドッキングセッションに関連する認証および関連付け情報に従って、前記ワイヤレスドッキングホストを介して利用可能な１つまたは複数の周辺機能を選択するための要求を前記ワイヤレスドッキングホストに送ることと、
前記ワイヤレスドッキングホストとの１つまたは複数のペイロード接続を確立するための要求を前記ワイヤレスドッキングホストに送ることと、ここにおいて、前記１つまたは複数のペイロード接続は、前記ワイヤレスドッキングホストを介して、前記選択された１つまたは複数の周辺機能に関するデータを通信するように構成される
を行うように構成される、デバイス。
［Ｃ２７］
前記１つまたは複数のプロセッサが、前記１つまたは複数の周辺機能を選択するための前記要求を送ること、および前記１つまたは複数のペイロード接続を確立するための前記要求を送ることのうちの少なくとも１つが、ＳＯＡＰペイロードを介して要求を送ることを備えるようにさらに構成される、Ｃ２６に記載のデバイス。
［Ｃ２８］
前記１つまたは複数のプロセッサが、前記１つまたは複数の周辺機能を選択するための前記要求を送ること、および前記１つまたは複数のペイロード接続を確立するための前記要求を送ることのうちの少なくとも１つが、バイナリプロトコルフォーマットメッセージを介して要求を送ることを備えるようにさらに構成される、Ｃ２６に記載のデバイス。
［Ｃ２９］
前記１つまたは複数のプロセッサが、
持続性ワイヤレスドッキング環境を作成し、
前記ドッキングセッションの後で持続する、前記持続性ワイヤレスドッキング環境に関連する前記１つまたは複数の周辺機能に関連する情報を記憶するようにさらに構成される、Ｃ２６に記載のデバイス。
［Ｃ３０］
前記１つまたは複数のプロセッサが、前記持続性ワイヤレスドッキング環境を作成することが、ワイヤレスドッキーデバイスにおいて前記持続性ワイヤレスドッキング環境を記憶することを備えるようにさらに構成される、Ｃ２９に記載のデバイス。
［Ｃ３１］
前記１つまたは複数のプロセッサが、前記持続性ワイヤレスドッキング環境を作成することが、前記持続性ワイヤレスドッキング環境を作成するための要求を前記ワイヤレスドッキングホストに送ることを備えるようにさらに構成される、Ｃ２９に記載のデバイス。
［Ｃ３２］
前記１つまたは複数のプロセッサが、前記持続性ワイヤレスドッキング環境に関連する前記１つまたは複数の周辺機能に関連する前記情報を記憶することが、前記選択された１つまたは複数の周辺機能に関する構成データを記憶することを備えるようにさらに構成される、Ｃ２９に記載のデバイス。
［Ｃ３３］
前記１つまたは複数のプロセッサが、
前記ワイヤレスドッキングホストとの後続のドッキングセッションを確立するための要求を前記ワイヤレスドッキングホストに送ることと、
前記ワイヤレスドッキングホストを介して利用可能な１つまたは複数の周辺機能を選択するための新しい要求を、前記持続性ワイヤレスドッキング環境に関連して記憶された前記１つまたは複数の周辺機能に関連する前記情報に基づいて、前記ワイヤレスドッキングホストに送ることとを行うようにさらに構成される、Ｃ２９に記載のデバイス。
［Ｃ３４］
前記１つまたは複数のプロセッサが、
前記ワイヤレスドッキングホストとの後続のドッキングセッションを確立するための要求を前記ワイヤレスドッキングホストに送ることと、
前記持続性ワイヤレスドッキング環境にアクセスするための要求を前記ワイヤレスドッキングホストに送ることとを行うようにさらに構成される、Ｃ２９に記載のデバイス。
［Ｃ３５］
前記１つまたは複数のプロセッサが、前記認証および関連付け情報が前記ワイヤレスドッキングホストとの認証および関連付け情報の第１の交換を実行することによって受信されるようにさらに構成され、前記１つまたは複数のプロセッサが、
前記ワイヤレスドッキングホストとの認証および関連付け情報の前記第１の交換を実行することに先立って、前記ワイヤレスドッキングホストを介して利用可能な周辺機能に関する情報について前記ワイヤレスドッキングホストに問い合わせることと、
前記第１のワイヤレスドッキングセッションの後で、前記ワイヤレスドッキングホストを介して利用可能な周辺機能に関する情報について前記ワイヤレスドッキングホストに問い合わせずに、前記持続性ワイヤレスドッキング環境内に記憶された利用可能な周辺機能情報に基づいて、前記ワイヤレスドッキングホストとの認証および関連付け情報の第２の交換を実行することとを行うようにさらに構成される、Ｃ２６に記載のデバイス。
［Ｃ３６］
前記１つまたは複数のプロセッサが、
前記１つまたは複数の周辺機能を選択するための前記要求を前記送ることに先立って、前記ワイヤレスドッキングホストとの前記ドッキングセッションに関連する前記認証および関連付け情報に従って、前記ワイヤレスドッキングホストを介して利用可能な前記周辺機能に関する情報に対する要求を前記ワイヤレスドッキングホストに送ることを行うようにさらに構成され、
前記１つまたは複数の周辺機能を選択するための前記要求が、前記ワイヤレスドッキングホストを介して利用可能な前記周辺機能に関する情報に対する前記要求に対する応答に基づく、Ｃ２６に記載のデバイス。
［Ｃ３７］
前記１つまたは複数のプロセッサが、
前記１つまたは複数のペイロード接続を確立するための前記要求に対する応答を受信することと、
前記選択された１つまたは複数の周辺機能に関する前記データを通信するための前記１つまたは複数のペイロード接続に関する認証および関連付け情報の新しいセットを前記ワイヤレスドッキングホストと交換することとを行うようにさらに構成される、Ｃ２６に記載のデバイス。
［Ｃ３８］
前記１つまたは複数のプロセッサが、前記１つまたは複数のペイロード接続に関する認証および関連付け情報の前記新しいセットを交換することが、
認証および関連付け情報の前記新しいセットをレイヤ２通信において交換することをさらに備えるようにさらに構成される、Ｃ３７に記載のデバイス。
［Ｃ３９］
前記１つまたは複数のプロセッサが、前記１つまたは複数のペイロード接続に関する認証および関連付け情報の前記新しいセットを交換することが、
認証および関連付け情報の前記新しいセットをＩＰトランスポート層通信において交換することをさらに備えるようにさらに構成される、Ｃ３７に記載のデバイス。
［Ｃ４０］
前記１つまたは複数のプロセッサが、前記１つまたは複数のペイロード接続に関する認証および関連付け情報の前記新しいセットを交換することが、
認証および関連付け情報の前記新しいセットをアプリケーション層通信において交換することをさらに備えるようにさらに構成される、Ｃ３７に記載のデバイス。
［Ｃ４１］
前記１つまたは複数のプロセッサが、前記ワイヤレスドッキングホストを介して利用可能な前記１つまたは複数の周辺機能を選択するための前記要求を前記ワイヤレスドッキングホストに送ることに先立って、前記ワイヤレスドッキングホストとの前記ドッキングセッションを確立する準備を整えるようにさらに構成され、ここにおいて、前記ドッキングセッションを確立する準備を整えるように構成されることが、前記１つまたは複数のプロセッサが、
前記ワイヤレスドッキングホストを介して利用可能な周辺機能に関する情報について前記ワイヤレスドッキングホストに問い合わせることと、
前記認証および関連付け情報を前記ワイヤレスドッキングホストと交換することと、
前記ワイヤレスドッキングホストとのパケットベースの通信接続をセットアップするための要求を送ることと、
前記ワイヤレスドッキングホストとの前記パケットベースの通信接続を介して前記ドッキングセッションをセットアップするための要求を送ることとを行うようにさらに構成されることを備える、Ｃ２６に記載のデバイス。
［Ｃ４２］
前記１つまたは複数のプロセッサが、前記ワイヤレスドッキングホストに問い合わせること、ならびに前記認証および関連付け情報を前記ワイヤレスドッキングホストと交換することが、レイヤ２通信において実行され、前記パケットベースの通信接続をセットアップするための前記要求を送ること、および前記パケットベースの通信接続を介して前記ドッキングセッションをセットアップするための前記要求を送ることが、トランスポート層通信において実行されるようにさらに構成される、Ｃ４１に記載のデバイス。
［Ｃ４３］
前記１つまたは複数のプロセッサが、前記トランスポート層通信が伝送制御プロトコル／インターネットプロトコル（ＴＣＰ／ＩＰ）仕様による通信を備えるようにさらに構成される、Ｃ４２に記載のデバイス。
［Ｃ４４］
前記１つまたは複数のプロセッサが、前記１つまたは複数の周辺機能を選択するための前記要求を前記ワイヤレスドッキングホストに送ることが、前記１つまたは複数の周辺機能、前記１つまたは複数の周辺機能に関する１つまたは複数のプロトコル、および前記１つまたは複数の周辺機能に関連するペイロードコンテンツに関する１つまたは複数のプロトコルのよりも多いうちの１つに関する情報を指定することを備えるようにさらに構成される、Ｃ２６に記載のデバイス。
［Ｃ４５］
１つまたは複数のプロセッサを備えたデバイスであって、前記１つまたは複数のプロセッサが、
周辺機能選択応答をワイヤレスデバイスに送ることによって、ドッキングセッションに関連する認証および関連付け情報に従って、１つまたは複数の選択された周辺機能を示す、前記ワイヤレスデバイスからの周辺機能選択要求に応答することと、前記周辺機能選択応答は、前記１つまたは複数の選択された周辺機能に関連する情報を備える、
ペイロード接続応答を前記ワイヤレスデバイスに送ることによって、前記１つまたは複数の選択された周辺機能に関するデータを通信するように構成された１つまたは複数のペイロード接続を示す、前記ワイヤレスデバイスからのペイロード接続要求に応答することと、前記ペイロード接続応答は、前記１つまたは複数のペイロード接続を確立することに関連する情報を備えるを行うように構成される、デバイス。
［Ｃ４６］
前記１つまたは複数のプロセッサが、前記周辺機能選択応答および前記ペイロード接続応答のうちの少なくとも１つを送ることが、ＳＯＡＰペイロードまたは汎用イベント通知アーキテクチャ（ＧＥＮＡ）通知イベントのうちの少なくとも１つを介して応答を送ることを備えるようにさらに構成される、Ｃ４５に記載のデバイス。
［Ｃ４７］
前記１つまたは複数のプロセッサが、前記周辺機能選択応答および前記ペイロード接続応答のうちの少なくとも１つを送ることが、バイナリプロトコルフォーマットメッセージを介して応答を送ることを備えるようにさらに構成される、Ｃ４５に記載のデバイス。
［Ｃ４８］
前記１つまたは複数のプロセッサが、
利用可能な周辺機能の新しい変更を検出することと、
前記利用可能な周辺機能の前記新しい変更の通知を前記ワイヤレスデバイスに送ることとを行うようにさらに構成される、Ｃ４５に記載のデバイス。
［Ｃ４９］
前記１つまたは複数のプロセッサが、
持続性ワイヤレスドッキング環境を作成するための要求を受信することと、
持続性ワイヤレスドッキング環境を作成することと、
前記ドッキングセッションの後で持続する、前記持続性ワイヤレスドッキング環境に関連する前記１つまたは複数の選択された周辺機能に関連する情報を記憶することと、
持続性ドッキング応答を前記ワイヤレスデバイスに送ることと、前記持続性ドッキング応答は、前記持続性ワイヤレスドッキング環境に関連する情報を備えるを行うようにさらに構成される、Ｃ４５に記載のデバイス。
［Ｃ５０］
前記１つまたは複数のプロセッサが、
後続のドッキングセッションを確立するための要求を前記ワイヤレスデバイスから受信することと、
前記後続のドッキングセッションを確立する際に、前記持続性ワイヤレスドッキング環境に関連する前記１つまたは複数の選択された周辺機能に関連する前記情報を適用することとを行うようにさらに構成される、Ｃ４９に記載のデバイス。
［Ｃ５１］
ワイヤレスドッキングホストとのドッキングセッションに関連する認証および関連付け情報に従って、前記ワイヤレスドッキングホストを介して利用可能な１つまたは複数の周辺機能を選択するための要求を前記ワイヤレスドッキングホストに送るための手段と、
前記ワイヤレスドッキングホストとの１つまたは複数のペイロード接続を確立するための要求を前記ワイヤレスドッキングホストに送るための手段と、ここにおいて、前記１つまたは複数のペイロード接続は、前記ワイヤレスドッキングホストを介して、前記選択された１つまたは複数の周辺機能に関するデータを通信するように構成される、
を備える装置。
［Ｃ５２］
前記１つまたは複数の周辺機能を選択するための前記要求を送るための前記手段、および前記１つまたは複数のペイロード接続を確立するための前記要求を送るための前記手段のうちの少なくとも１つが、ＳＯＡＰペイロードを介して要求を送るための手段とを備える、Ｃ５１に記載の装置。
［Ｃ５３］
前記１つまたは複数の周辺機能を選択するための前記要求を送るための前記手段、および前記１つまたは複数のペイロード接続を確立するための前記要求を送るための前記手段のうちの少なくとも１つが、バイナリプロトコルフォーマットメッセージを介して要求を送るための手段とを備える、Ｃ５１に記載の装置。
［Ｃ５４］
持続性ワイヤレスドッキング環境を作成するための手段と、
前記ドッキングセッションの後で持続する、前記持続性ワイヤレスドッキング環境に関連する前記１つまたは複数の周辺機能に関連する情報を記憶するための手段と
をさらに備える、Ｃ５１に記載の装置。
［Ｃ５５］
前記持続性ワイヤレスドッキング環境を作成するための前記手段が、ワイヤレスドッキーデバイスにおいて前記持続性ワイヤレスドッキング環境を記憶するための手段を備える、Ｃ５４に記載の装置。
［Ｃ５６］
前記持続性ワイヤレスドッキング環境を作成するための前記手段が、前記持続性ワイヤレスドッキング環境を作成するための要求を前記ワイヤレスドッキングホストに送るための手段を備える、Ｃ５４に記載の装置。
［Ｃ５７］
前記持続性ワイヤレスドッキング環境に関連する前記１つまたは複数の周辺機能に関連する前記情報を記憶するための前記手段が、前記選択された１つまたは複数の周辺機能に関する構成データを記憶するための手段を備える、Ｃ５４に記載の装置。
［Ｃ５８］
前記ワイヤレスドッキングホストとの後続のドッキングセッションを確立するための要求を前記ワイヤレスドッキングホストに送るための手段と、
前記ワイヤレスドッキングホストを介して利用可能な１つまたは複数の周辺機能を選択するための新しい要求を、前記持続性ワイヤレスドッキング環境に関連して記憶された前記１つまたは複数の周辺機能に関連する前記情報に基づいて、前記ワイヤレスドッキングホストに送るための手段と
をさらに備える、Ｃ５４に記載の装置。
［Ｃ５９］
前記ワイヤレスドッキングホストとの後続のドッキングセッションを確立するための要求を前記ワイヤレスドッキングホストに送るための手段と、
前記持続性ワイヤレスドッキング環境にアクセスするための要求を前記ワイヤレスドッキングホストに送るための手段と
をさらに備える、Ｃ５４に記載の装置。
［Ｃ６０］
前記認証および関連付け情報が前記ワイヤレスドッキングホストとの認証および関連付け情報の第１の交換を実行することによって受信され、前記方法が、
前記ワイヤレスドッキングホストとの認証および関連付け情報の前記第１の交換を実行することに先立って、前記ワイヤレスドッキングホストを介して利用可能な周辺機能に関する情報について前記ワイヤレスドッキングホストに問い合わせるための手段と、
前記第１のワイヤレスドッキングセッションの後で、前記ワイヤレスドッキングホストを介して利用可能な周辺機能に関する情報について前記ワイヤレスドッキングホストに問い合わせずに、前記持続性ワイヤレスドッキング環境内に記憶された利用可能な周辺機能情報に基づいて、前記ワイヤレスドッキングホストとの認証および関連付け情報の第２の交換を実行するための手段とをさらに備える、Ｃ５１に記載の装置。
［Ｃ６１］
前記１つまたは複数の周辺機能を選択するための前記要求を前記送ることに先立って、前記ワイヤレスドッキングホストとの前記ドッキングセッションに関連する前記認証および関連付け情報に従って、前記ワイヤレスドッキングホストを介して利用可能な前記周辺機能に関する情報に対する要求を前記ワイヤレスドッキングホストに送るための手段をさらに備え、
前記１つまたは複数の周辺機能を選択するための前記要求が、前記ワイヤレスドッキングホストを介して利用可能な前記周辺機能に関する情報に対する前記要求に対する応答に基づく
Ｃ５１に記載の装置。
［Ｃ６２］
前記１つまたは複数のペイロード接続を確立するための前記要求に対する応答を受信するための手段と、
前記選択された１つまたは複数の周辺機能に関する前記データを通信するための前記１つまたは複数のペイロード接続に関する認証および関連付け情報の新しいセットを前記ワイヤレスドッキングホストと交換するための手段と
をさらに備える、Ｃ５１に記載の装置。
［Ｃ６３］
前記１つまたは複数のペイロード接続に関する認証および関連付け情報の前記新しいセットを交換するための前記手段が、
認証および関連付け情報の前記新しいセットをレイヤ２通信において交換するための手段をさらに備える、Ｃ６２に記載の装置。
［Ｃ６４］
前記１つまたは複数のペイロード接続に関する認証および関連付け情報の前記新しいセットを交換するための前記手段が、
認証および関連付け情報の前記新しいセットをＩＰトランスポート層通信において交換するための手段をさらに備える、Ｃ６２に記載の装置。
［Ｃ６５］
前記１つまたは複数のペイロード接続に関する認証および関連付け情報の前記新しいセットを交換するための前記手段が、
認証および関連付け情報の前記新しいセットをアプリケーション層通信において交換するための手段をさらに備える、Ｃ６２に記載の装置。
［Ｃ６６］
前記ワイヤレスドッキングホストを介して利用可能な前記１つまたは複数の周辺機能を選択するための前記要求を前記ワイヤレスドッキングホストに送ることに先立って、前記ワイヤレスドッキングホストとの前記ドッキングセッションを確立する準備を整えるための手段をさらに備え、ここにおいて、前記ドッキングセッションを確立する準備を整えるための前記手段が、
前記ワイヤレスドッキングホストを介して利用可能な周辺機能に関する情報について前記ワイヤレスドッキングホストに問い合わせるための手段と、
前記認証および関連付け情報を前記ワイヤレスドッキングホストと交換するための手段と、
前記ワイヤレスドッキングホストとのパケットベースの通信接続をセットアップするための要求を送るための手段と、
前記ワイヤレスドッキングホストとの前記パケットベースの通信接続を介して前記ドッキングセッションをセットアップするための要求を送るための手段とを備える、Ｃ５１に記載の装置。
［Ｃ６７］
前記ワイヤレスドッキングホストに問い合わせるための前記手段、ならびに前記認証および関連付け情報を前記ワイヤレスドッキングホストと交換するための前記手段が、レイヤ２通信において実行され、前記パケットベースの通信接続をセットアップするための前記要求を送ること、および前記パケットベースの通信接続を介して前記ドッキングセッションをセットアップするための前記要求を送ることが、トランスポート層通信において実行される、Ｃ６６に記載の装置。
［Ｃ６８］
前記トランスポート層通信が伝送制御プロトコル／インターネットプロトコル（ＴＣＰ／ＩＰ）仕様による通信を備える、Ｃ６７に記載の装置。
［Ｃ６９］
前記１つまたは複数の周辺機能を選択するための前記要求を前記ワイヤレスドッキングホストに送るための前記手段が、前記１つまたは複数の周辺機能、前記１つまたは複数の周辺機能に関する１つまたは複数のプロトコル、および前記１つまたは複数の周辺機能に関連するペイロードコンテンツに関する１つまたは複数のプロトコルのよりも多いうちの１つに関する情報を指定するための手段を備える、Ｃ５１に記載の装置。
［Ｃ７０］
周辺機能選択応答をワイヤレスデバイスに送ることによって、ドッキングセッションに関連する認証および関連付け情報に従って、１つまたは複数の選択された周辺機能を示す、前記ワイヤレスデバイスからの周辺機能選択要求に応答するための手段と、前記周辺機能選択応答は、前記１つまたは複数の選択された周辺機能に関連する情報を備える、
ペイロード接続応答を前記ワイヤレスデバイスに送ることによって、前記１つまたは複数の選択された周辺機能に関するデータを通信するように構成された１つまたは複数のペイロード接続を示す、前記ワイヤレスデバイスからのペイロード接続要求に応答するための手段と、前記ペイロード接続応答は、前記１つまたは複数のペイロード接続を確立することに関連する情報を備える
を備える装置。
［Ｃ７１］
前記周辺機能選択応答および前記ペイロード接続応答のうちの少なくとも１つを送るための前記手段が、ＳＯＡＰペイロードまたは汎用イベント通知アーキテクチャ（ＧＥＮＡ）通知イベントのうちの少なくとも１つを介して応答を送るための手段を備える、Ｃ７０に記載の装置。
［Ｃ７２］
前記周辺機能選択応答および前記ペイロード接続応答のうちの少なくとも１つを送るための前記手段が、バイナリプロトコルフォーマットメッセージを介して応答を送るための手段を備える、Ｃ７０に記載の装置。
［Ｃ７３］
利用可能な周辺機能の新しい変更を検出するための手段と、
前記利用可能な周辺機能の前記新しい変更の通知を前記ワイヤレスデバイスに送るための手段と
をさらに備える、Ｃ７０に記載の装置。
［Ｃ７４］
持続性ワイヤレスドッキング環境を作成するための要求を受信するための手段と、
持続性ワイヤレスドッキング環境を作成するための手段と、
前記ドッキングセッションの後で持続する、前記持続性ワイヤレスドッキング環境に関連する前記１つまたは複数の選択された周辺機能に関連する情報を記憶するための手段と
持続性ドッキング応答を前記ワイヤレスデバイスに送るための手段と、前記持続性ドッキング応答は、前記持続性ワイヤレスドッキング環境に関連する情報を備える
をさらに備える、Ｃ７０に記載の装置。
［Ｃ７５］
後続のドッキングセッションを確立するための要求を前記ワイヤレスデバイスから受信するための手段と、
前記後続のドッキングセッションを確立する際に、前記持続性ワイヤレスドッキング環境に関連する前記１つまたは複数の選択された周辺機能に関連する前記情報を適用するための手段と
をさらに備える、Ｃ７４に記載の装置。
［Ｃ７６］
実行されると、
ワイヤレスドッキングホストとのドッキングセッションに関連する認証および関連付け情報に従って、前記ワイヤレスドッキングホストを介して利用可能な１つまたは複数の周辺機能を選択するための要求を前記ワイヤレスドッキングホストに送ることと、
前記ワイヤレスドッキングホストとの１つまたは複数のペイロード接続を確立するための要求を前記ワイヤレスドッキングホストに送ることと、ここにおいて、前記１つまたは複数のペイロード接続は、前記ワイヤレスドッキングホストを介して、前記選択された１つまたは複数の周辺機能に関するデータを通信するように構成される
を行うように１つまたは複数のプロセッサを構成する命令を記憶したコンピュータ可読記憶媒体。
［Ｃ７７］
前記命令が、前記１つまたは複数の周辺機能を選択するための前記要求を送ること、および前記１つまたは複数のペイロード接続を確立するための前記要求を送ることのうちの少なくとも１つが、ＳＯＡＰペイロードを介して要求を送ることを備えるように前記１つまたは複数のプロセッサをさらに構成する、Ｃ７６に記載のコンピュータ可読記憶媒体。
［Ｃ７８］
前記命令が、前記１つまたは複数の周辺機能を選択するための前記要求を送ること、および前記１つまたは複数のペイロード接続を確立するための前記要求を送ることのうちの少なくとも１つが、バイナリプロトコルフォーマットメッセージを介して要求を送ることを備えるように前記１つまたは複数のプロセッサをさらに構成する、Ｃ７６に記載のコンピュータ可読記憶媒体。
［Ｃ７９］
前記命令が、
持続性ワイヤレスドッキング環境を作成し、
前記ドッキングセッションの後で持続する、前記持続性ワイヤレスドッキング環境に関連する前記１つまたは複数の周辺機能に関連する情報を記憶するように前記１つまたは複数のプロセッサをさらに構成する、Ｃ７８に記載のコンピュータ可読記憶媒体。
［Ｃ８０］
前記命令が、前記持続性ワイヤレスドッキング環境を作成することが、ワイヤレスドッキーデバイスにおいて前記持続性ワイヤレスドッキング環境を記憶することを備えるように前記１つまたは複数のプロセッサをさらに構成する、Ｃ７９に記載のコンピュータ可読記憶媒体。
［Ｃ８１］
前記命令が、前記持続性ワイヤレスドッキング環境を作成することが、前記持続性ワイヤレスドッキング環境を作成するための要求を前記ワイヤレスドッキングホストに送ることを備えるように前記１つまたは複数のプロセッサをさらに構成する、Ｃ７９に記載のコンピュータ可読記憶媒体。
［Ｃ８２］
前記命令が、前記持続性ワイヤレスドッキング環境に関連する前記１つまたは複数の周辺機能に関連する前記情報を記憶することが、前記選択された１つまたは複数の周辺機能に関する構成データを記憶することを備えるように前記１つまたは複数のプロセッサをさらに構成する、Ｃ７９に記載のコンピュータ可読記憶媒体。
［Ｃ８３］
前記命令が、
前記ワイヤレスドッキングホストとの後続のドッキングセッションを確立するための要求を前記ワイヤレスドッキングホストに送ることと、
前記ワイヤレスドッキングホストを介して利用可能な１つまたは複数の周辺機能を選択するための新しい要求を、前記持続性ワイヤレスドッキング環境に関連して記憶された前記１つまたは複数の周辺機能に関連する前記情報に基づいて、前記ワイヤレスドッキングホストに送ることとを行うように前記１つまたは複数のプロセッサをさらに構成する、Ｃ７９に記載のコンピュータ可読記憶媒体。
［Ｃ８４］
前記命令が、
前記ワイヤレスドッキングホストとの後続のドッキングセッションを確立するための要求を前記ワイヤレスドッキングホストに送ることと、
前記持続性ワイヤレスドッキング環境にアクセスするための要求を前記ワイヤレスドッキングホストに送ることとを行うように前記１つまたは複数のプロセッサさらに構成する、Ｃ７９に記載のコンピュータ可読記憶媒体。
［Ｃ８５］
前記命令が、前記認証および関連付け情報が前記ワイヤレスドッキングホストとの認証および関連付け情報の第１の交換を実行することによって受信されるように前記１つまたは複数のプロセッサをさらに構成し、前記命令が、
前記ワイヤレスドッキングホストとの認証および関連付け情報の前記第１の交換を実行することに先立って、前記ワイヤレスドッキングホストを介して利用可能な周辺機能に関する情報について前記ワイヤレスドッキングホストに問い合わせることと、
前記第１のワイヤレスドッキングセッションの後で、前記ワイヤレスドッキングホストを介して利用可能な周辺機能に関する情報について前記ワイヤレスドッキングホストに問い合わせずに、前記持続性ワイヤレスドッキング環境内に記憶された利用可能な周辺機能情報に基づいて、前記ワイヤレスドッキングホストとの認証および関連付け情報の第２の交換を実行することとを行うように前記１つまたは複数のプロセッサをさらに構成する、Ｃ７６に記載のコンピュータ可読記憶媒体。
［Ｃ８６］
前記命令が、
前記１つまたは複数の周辺機能を選択するための前記要求を前記送ることに先立って、前記ワイヤレスドッキングホストとの前記ドッキングセッションに関連する前記認証および関連付け情報に従って、前記ワイヤレスドッキングホストを介して利用可能な前記周辺機能に関する情報に対する要求を前記ワイヤレスドッキングホストに送ることを行うように前記１つまたは複数のプロセッサをさらに構成し、
前記１つまたは複数の周辺機能を選択するための前記要求が、前記ワイヤレスドッキングホストを介して利用可能な前記周辺機能に関する情報に対する前記要求に対する応答に基づく
Ｃ７６に記載のコンピュータ可読記憶媒体。
［Ｃ８７］
前記命令が、
前記１つまたは複数のペイロード接続を確立するための前記要求に対する応答を受信することと、
前記選択された１つまたは複数の周辺機能に関する前記データを通信するための前記１つまたは複数のペイロード接続に関する認証および関連付け情報の新しいセットを前記ワイヤレスドッキングホストと交換することとを行うように前記１つまたは複数のプロセッサをさらに構成する、Ｃ７６に記載のコンピュータ可読記憶媒体。
［Ｃ８８］
前記命令が、前記１つまたは複数のペイロード接続に関する認証および関連付け情報の前記新しいセットを交換することが、
認証および関連付け情報の前記新しいセットをレイヤ２通信において交換することをさらに備えるように前記１つまたは複数のプロセッサをさらに構成する、Ｃ８７に記載のコンピュータ可読記憶媒体。
［Ｃ８９］
前記命令が、前記１つまたは複数のペイロード接続に関する認証および関連付け情報の前記新しいセットを交換することが、
認証および関連付け情報の前記新しいセットをＩＰトランスポート層通信において交換することをさらに備えるように前記１つまたは複数のプロセッサをさらに構成する、Ｃ８７に記載のコンピュータ可読記憶媒体。
［Ｃ９０］
前記命令が、前記１つまたは複数のペイロード接続に関する認証および関連付け情報の前記新しいセットを交換することが、
認証および関連付け情報の前記新しいセットをアプリケーション層通信において交換することをさらに備えるように前記１つまたは複数のプロセッサをさらに構成する、Ｃ８７に記載のコンピュータ可読記憶媒体。
［Ｃ９１］
前記命令が、前記ワイヤレスドッキングホストを介して利用可能な前記１つまたは複数の周辺機能を選択するための前記要求を前記ワイヤレスドッキングホストに送ることに先立って、前記ワイヤレスドッキングホストとの前記ドッキングセッションを確立する準備を整えるように前記１つまたは複数のプロセッサをさらに構成し、ここにおいて、前記ドッキングセッションを確立する準備を整えるように前記１つまたは複数のプロセッサを構成することが、
前記ワイヤレスドッキングホストを介して利用可能な周辺機能に関する情報について前記ワイヤレスドッキングホストに問い合わせることと、
前記認証および関連付け情報を前記ワイヤレスドッキングホストと交換することと、
前記ワイヤレスドッキングホストとのパケットベースの通信接続をセットアップするための要求を送ることと、
前記ワイヤレスドッキングホストとの前記パケットベースの通信接続を介して前記ドッキングセッションをセットアップするための要求を送ることとを行うように前記１つまたは複数のプロセッサをさらに構成する前記命令をさらに備える、Ｃ７６に記載のコンピュータ可読記憶媒体。
［Ｃ９２］
前記命令が、前記ワイヤレスドッキングホストに問い合わせること、ならびに前記認証および関連付け情報を前記ワイヤレスドッキングホストと交換することが、レイヤ２通信において実行され、前記パケットベースの通信接続をセットアップするための前記要求を送ること、および前記パケットベースの通信接続を介して前記ドッキングセッションをセットアップするための前記要求を送ることが、トランスポート層通信において実行されるように前記１つまたは複数のプロセッサをさらに構成する、Ｃ９１に記載のコンピュータ可読記憶媒体。
［Ｃ９３］
前記命令が、前記トランスポート層通信が伝送制御プロトコル／インターネットプロトコル（ＴＣＰ／ＩＰ）仕様による通信を備えるように前記１つまたは複数のプロセッサをさらに構成する、Ｃ９２に記載のコンピュータ可読記憶媒体。
［Ｃ９４］
前記命令が、前記１つまたは複数の周辺機能を選択するための前記要求を前記ワイヤレスドッキングホストに送ることが、前記１つまたは複数の周辺機能、前記１つまたは複数の周辺機能に関する１つまたは複数のプロトコル、および前記１つまたは複数の周辺機能に関連するペイロードコンテンツに関する１つまたは複数のプロトコルのよりも多いうちの１つに関する情報を指定することを備えるように前記１つまたは複数のプロセッサをさらに構成する、Ｃ７６に記載のコンピュータ可読記憶媒体。
［Ｃ９５］
実行されると、
周辺機能選択応答をワイヤレスデバイスに送ることによって、ドッキングセッションに関連する認証および関連付け情報に従って、１つまたは複数の選択された周辺機能を示す、前記ワイヤレスデバイスからの周辺機能選択要求に応答することと、前記周辺機能選択応答は、前記１つまたは複数の選択された周辺機能に関連する情報を備える、
ペイロード接続応答を前記ワイヤレスデバイスに送ることによって、前記１つまたは複数の選択された周辺機能に関するデータを通信するように構成された１つまたは複数のペイロード接続を示す、前記ワイヤレスデバイスからのペイロード接続要求に応答することと、前記ペイロード接続応答は、前記１つまたは複数のペイロード接続を確立することに関連する情報を備えるを行うように１つまたは複数のプロセッサを構成する命令を記憶したコンピュータ可読記憶媒体。
［Ｃ９６］
前記命令が、前記周辺機能選択応答および前記ペイロード接続応答のうちの少なくとも１つを送ることが、ＳＯＡＰペイロードまたは汎用イベント通知アーキテクチャ（ＧＥＮＡ）通知イベントのうちの少なくとも１つを介して応答を送ることを備えるように前記１つまたは複数のプロセッサをさらに構成する、Ｃ９５に記載のコンピュータ可読記憶媒体。
［Ｃ９７］
前記命令が、前記周辺機能選択応答および前記ペイロード接続応答のうちの少なくとも１つを送ることが、バイナリプロトコルフォーマットメッセージを介して応答を送ることを備えるように前記１つまたは複数のプロセッサをさらに構成する、Ｃ９５に記載のコンピュータ可読記憶媒体。
［Ｃ９８］
前記命令が、
利用可能な周辺機能の新しい変更を検出することと、
前記利用可能な周辺機能の前記新しい変更の通知を前記ワイヤレスデバイスに送ることとを行うように前記１つまたは複数のプロセッサをさらに構成する、Ｃ９５に記載のコンピュータ可読記憶媒体。
［Ｃ９９］
前記命令が、
持続性ワイヤレスドッキング環境を作成するための要求を受信することと、
持続性ワイヤレスドッキング環境を作成することと、
前記ドッキングセッションの後で持続する、前記持続性ワイヤレスドッキング環境に関連する前記１つまたは複数の選択された周辺機能に関連する情報を記憶することと、
持続性ドッキング応答を前記ワイヤレスデバイスに送ることと、前記持続性ドッキング応答は、前記持続性ワイヤレスドッキング環境に関連する情報を備えるを行うように前記１つまたは複数のプロセッサをさらに構成する、Ｃ９５に記載のコンピュータ可読記憶媒体。
［Ｃ１００］
前記命令が、
後続のドッキングセッションを確立するための要求を前記ワイヤレスデバイスから受信することと、
前記後続のドッキングセッションを確立する際に、前記持続性ワイヤレスドッキング環境に関連する前記１つまたは複数の選択された周辺機能に関連する前記情報を適用することとを行うように前記１つまたは複数のプロセッサをさらに構成する、Ｃ９９に記載のコンピュータ可読記憶媒体。